(57)【要約】一実施例において、チューナカートリッジは、ビデオ信号を復号するチューナと、変調信号を受信して、該変調信号を前記チューナへ送信する第１のバスコネクタと、前記チューナから受信されたベースバンド信号を送信する第２のバスコネクタとを有する。他の実施例において、チューナシステムは、チューナカートリッジを受けるスロットと、該スロット内のチューナカートリッジへ接続するベースバンドバスと、前記スロット内のチューナカートリッジへ接続して、変調されたビデオ信号を前記スロット内のチューナカートリッジへ供給するソースバスとを有する。
2007511960.tif 000002
【特許請求の範囲】
【請求項１】
ビデオ信号を復調するチューナと、
変調信号を受信して、該変調信号を前記チューナへ供給する第１のバスコネクタと、
前記チューナから受信したベースバンド信号を送信する第２のバスコネクタと、
を有することを特徴とするチューナカートリッジ。
【請求項２】
前記第１のバスコネクタは、チューナシステムの第１のバスへ結合し、
該第１のバスは、無線周波数バスである、
ことを特徴とする請求項１記載のカートリッジ。
【請求項３】
前記第２のバスコネクタは、チューナシステムの第２のバスへ結合し、
該第２のバスは、ベースバンドバスである、
ことを特徴とする請求項１記載のカートリッジ。
【請求項４】
前記第２のバスコネクタは、更に、電力、命令及び制御信号を伝送する、ことを特徴とする請求項１記載のカートリッジ。
【請求項５】
前記第１のバスコネクタ及び前記第２のバスコネクタは、チューナシステムの第１及び第２のバスへ接続するようプリント回路基板上で導電線の形を成す電気コネクタを含む前記プリント回路基板内に形成される、ことを特徴とする請求項２記載のカートリッジ。
【請求項６】
前記第１のバスコネクタ及び前記第２のバスコネクタを支えるよう、当該カートリッジの端に指状突起を更に有する、ことを特徴とする請求項１記載のカートリッジ。
【請求項７】
前記チューナによって復調された信号をデコードするよう、前記チューナと前記第２のバスコネクタとの間に結合されたエンコーダを更に有する、ことを特徴とする請求項１記載のカートリッジ。
【請求項８】
前記チューナを囲み、前記第１のバスコネクタ及び前記第２のバスコネクタを支える筐体を更に有する、ことを特徴とする請求項１記載のカートリッジ。
【請求項９】
無線周波数変調ビデオ信号を復調するチューナと、
該チューナを囲む筐体と、
チューナシステム内のスロットに嵌め込むよう前記筐体の端から突き出したコネクタカードエッジと、
該カードエッジが前記スロットに嵌め込まれる場合に、前記チューナシステム内のバスへ接続する前記コネクタカードエッジ上の指状突起と、
を有することを特徴とするチューナカートリッジ。
【請求項１０】
当該カートリッジがチューナシステム内へ挿入され、且つ、該チューナシステムから取り外されることを可能にするつかみ面を更に有する、ことを特徴とする請求項９記載のカートリッジ。
【請求項１１】
前記指状突起は、電力、命令及び制御信号をベースバンドバスにより伝送する複数の電気コネクタを有する、ことを特徴とする請求項９記載のカートリッジ。
【請求項１２】
前記指状突起は、前記チューナシステムにおいてソースバスから変調されたビデオ信号を受信する複数のコネクタを有する、ことを特徴とする請求項９記載のカートリッジ。
【請求項１３】
前記指状突起は、前記チューナシステムにおいてベースバンドバスへ復調されたビデオ信号を送信する複数のコネクタを有する、ことを特徴とする請求項９記載のカートリッジ。
【請求項１４】
前記コネクタカードエッジは、プリント回路基板を有し、
前記指状突起は、前記基板上で導電線を有する、
ことを特徴とする請求項１０記載のカートリッジ。
【請求項１５】
チューナカートリッジを受け入れるスロットと、
該スロット内のチューナカートリッジへ接続するベースバンドバスと、
前記スロット内のチューナカートリッジへ接続して、前記スロット内のチューナカートリッジへ変調されたビデオ信号を供給するソースバスと、
を有することを特徴とするチューナシステム。
【請求項１６】
前記ベースバンドバスは、前記スロット内のチューナカートリッジから復調されたビデオ信号を受信する、ことを特徴とする請求項９記載のシステム。
【請求項１７】
前記ベースバンドバスは、電力、命令及び制御信号を前記スロット内のチューナカートリッジへ伝送する、ことを特徴とする請求項１記載のシステム。
【請求項１８】
前記スロットは、前記ベースバンドバスへの接続を設けるよう、チューナカートリッジの対応する電気コネクタと結合する電気コネクタを有する、ことを特徴とする請求項９記載のシステム。
【請求項１９】
変調されたビデオ信号の発生源及び前記ソースバスへ接続するソースコネクタを更に有する、ことを特徴とする請求項９記載のシステム。
【請求項２０】
複数のスロットを更に有し、
前記ソースバスは、複数のスロット内のチューナカートリッジを前記ソースコネクタへ結合するスプリッタを有する、
ことを特徴とする請求項１３記載のシステム。
【請求項２１】
前記ソースコネクタは、アンテナからビデオ信号を受信する同軸ケーブルコネクタを有する、ことを特徴とする請求項１３記載のシステム。
【請求項２２】
前記ベースバンドバスからビデオ装置へビデオ信号を供給するビデオ出力コネクタを更に有する、ことを特徴とする請求項９記載のシステム。
【請求項２３】
前記ビデオ装置に対するビデオ信号を発生させるよう、前記ベースバンドバスと前記ビデオ出力コネクタとの間に結合されたビデオ処理装置を更に有する、ことを特徴とする請求項９記載のシステム。
【請求項２４】
チューナカートリッジを受け入れるスロットと、
該スロット内のチューナカートリッジへ接続するベースバンドバスと、
該ベースバンドバスへ結合され、ビデオ装置に対してビデオ出力コネクタにおいてビデオ信号を発生させるビデオ処理装置と、
前記スロット内のチューナカートリッジへ接続して、前記スロット内のチューナカートリッジへ変調されたビデオ信号を供給するソースバスと、
を有することを特徴とする民生用エンターテイメントシステム。
【請求項２５】
前記ベースバンドバスは、前記スロット内のチューナカートリッジから復調されたビデオ信号を受信する、ことを特徴とする請求項２４記載のシステム。
【請求項２６】
前記ベースバンドバスは、電力、命令及び制御信号を前記スロット内のチューナカートリッジへ伝送する、ことを特徴とする請求項２４記載のシステム。
【請求項２７】
複数のスロットと、変調されたビデオ信号の発生源及び前記ソースバスへ接続するソースコネクタとを更に有し、
前記ソースバスは、複数のスロット内のチューナカートリッジを前記ソースコネクタへ結合するスプリッタを有する、ことを特徴とする請求項１３記載のシステム。
【発明の詳細な説明】
【発明の詳細な説明】
【０００１】
［背景］
本発明は、放送及びマルチキャスト信号のチューニングの分野に関し、特に、民生用受信装置用の交換可能なチューナ及びスロットに関する。
【０００２】
多数の現在のテレビ受信機、パーソナルビデオレコーダ（ＰＶＲ）、ビデオテープレコーダ（ＶＴＲ）、オーディオ／ビデオ（Ａ／Ｖ）受信機、メディアセンター、及び類似する装置は、ビデオ及びオーディオのチューナを内蔵する。このようなチューナは、表示、記録及びトラッキングの機能のために使用される。
【０００３】
幾つかの特定の装置におけるチューナの数及び種類は、極めて異なる。第1に、望まれうる多種多様なチューナがある。地上無線放送、ケーブル放送、衛星、光ファイバー、及び広域ネットワークからの信号は、全て、異なった搬送周波数、変調方式及び符号化を使用することができる。これらの信号発生源の全ては、また、アナログ若しくはデジタル符号化信号のどちらか一方又は両方を供給しても良い。更に、例えばＡＭ（振幅変調）及びＦＭ（周波数変調）又は衛星ラジオのような音源は、やはり異なった信号伝達及び符号化の仕様を使用することができる。更に、幾つかのプログラミング転送媒体又は信号搬送波は、双方向通信又は多面的機能を支持することができる。ＮＴＳＣ（全国テレビジョン方式委員会）テレビジョン信号は、テレビジョン同軸ケーブルが双方向のメッセージング、双方向の広帯域インターネットアクセス又は電話方式に対して使用されうる一方で、信号のみを受信するような放送である。
【０００４】
第２に、ラジオ、テレビ、及び他のマルチメディア・プログラミングの規格は経時変化し、新しい規格が加えられる。ＮＴＳＣ規格は、過去に、カラー画像、ステレオ、副音声プログラム、及び聴覚障害者のための字幕、などを加えるよう修正されている。合衆国のデジタル高精細度ケーブルテレビの規格は、２００３年に適用されたままであり、変更は不可避である。ＦＭラジオの規格は、ＲＤＳ（無線データシステム）を加えるよう変更されている。テレビ受信機、ＰＶＲ、ＶＴＲ、Ａ／Ｖ受信機、又はメディアセンターは、そのチューナが放送又はマルチキャストの規格の変更によって古くなったといってそれだけで、もはやサポートされなくなる可能性がある。
【０００５】
第３に、機器の幾つかの特定の部分に求められるチューナの数は、支持されるべき特定の機能と、達成されるべき価格とに依存して変化しうる。ピクチャー・イン・ピクチャー表示のために、及び１つ又はそれ以上の他のプログラムを表示する間に１つ又はそれ以上のプログラムを記録するために、多数のチューナが求められる。更なるチューナは、また、１つ又はそれ以上の他のプログラムが視聴されている間に、プログラムガイド又はニュースのような情報を得るために使用されても良い。チューナが装置の費用、電力及び大きさを増大させるので、いずれの装置でも、チューナの数及び種類は、しばしば制限される。チューナの数が制限される場合ですら、異なるチューナが、異なる市場、製品ライン及び価格の必要性を満足させるよう提供されるべきである。
【０００６】
異なった数及び種類のチューナを有する製品のラインを支持することは、機器の販売及び市場投入の複雑性及び費用を著しく増大させうる。それは、また、ユーザに、彼らが望むチューナを先んずるよう、又は彼らが使用することができないチューナを賠償するよう求める妥協につながり得る。規格が変わる場合に、消費者はシステム全体を置換しなければならない。
【０００７】
本発明は、以下の詳細な説明と、本発明の様々な実施例を表す添付の図面とから、より理解される。しかし、図面は、特定の実施例に本発明を限定するよう解釈されるべきではなく、説明及び理解のために用いられるに過ぎない。
【０００８】
［詳細な説明］
図１を参照すると、チューナシステム３１は、チューナカートリッジ３２を受け入れるためのスロット３７から成る区画３３を有する。示されているように、１つのカートリッジ３２は、取り外されており、他のカートリッジ３０は、取り付けられている。チューナシステムは、テレビ受信機若しくはビデオディスプレイ、ビデオ若しくはオーディオレコーダ、コンピュータの周辺装置、エンターテイメントシステムへの接続のための別個のチューナ、又は、例えば、図３のメディアセンターの全て若しくは一部を含む様々な他の装置のうちの幾つか、であっても良い。当該装置は、セットトップボックスであっても良く、あるいは、それは、例えば、テレビ受信機、レコーダ、又はコンピュータに組み込まれても良い。本実施例では、チューナシステムは、例えばＦ型の同軸ＲＦ（無線周波数）ケーブル又はアンテナコネクタのようなソースコネクタ４４−１、４４−２の組と、他の入出力コネクタ（図示せず。）用の接続パネル４６と、電源コードコネクタ４８とを有する。
【０００９】
ソースコネクタは、同一又は異なった形式であっても良い。幾つかの種類のコネクタが、ＲＦアンテナコネクタを含め、使用されても良い。更に、アンテナコネクタは、例えばベースバンド・ビットストリーム又はアナログ信号、コンポジット若しくはコンポーネント・ビデオ信号等のような他の形式の信号を受信するために使用されても良い。従って、コネクタは、特定のアプリケーションに適するよう変更されても良い。コネクタパネルは、他の構成要素からの信号を受信し、表示又は記録のための信号を供給することができる。このようなコネクタの幾つかの例を、図３及び４を参照して説明する。
【００１０】
チューナシステムのスロット３７は、チューナカートリッジ３２を受け入れるよう構成されている。チューナカートリッジは、様々な異なった形状のうちのいずれの形で設けられても良い。図１では、チューナカートリッジ３２は、一方の端にコネクタカードエッジ２３を伴う閉じられた外部筐体を有する。本実施例において、コネクタカードエッジは、プリント回路基板（ＰＣＢ）の端部から構成されており、ＰＣＢ基板上に形成されたメタリックワイヤー接続パッド又は指状突起２５−１〜２５−６を有する。指状突起は、接続を形成するよう、スロット内の対応するパッドに滑り込む。このような接続は、交換可能なビデオゲームのカートリッジ、コンピュータのアダプタカード、ＰＣ（パーソナルコンピュータ）のアドインカード、及び多数の他の形式の交換可能な部品接続、の方式に類似する。しかし、特定の形式の接続が、本発明に必要不可欠というわけではない。如何なる形式の接続、電気的、ＲＦ、誘導的又は別の方法が、様々な異なる物理的及び機械的設計のうちのいずれかの設計と共に使用されても良い。
【００１１】
チューナカートリッジは、また、それがスロットに挿入され、あるいはスロットから取り外された場合に、使用者がカートリッジを堅固に掴むことを可能にするリブ２１を有する。図１の構成は、ビデオゲームのカートリッジが加えられ、取り外され、あるいは提供され得るように、使用者が容易にチューナカートリッジを加え、取り外し、あるいは提供することを可能にする。示された形式のカートリッジは、独立型のアイテムとして容易にまとめられて、販売されうる。１つのマーケティング・アプローチでは、チューナシステムは、ＮＴＳＣ又はＰＡＬカートリッジのような１つの標準的なチューナカートリッジにまとめられ、その場合に、ユーザは、チューナシステムを適応させることが可能となるだけの数の付加的なカートリッジを購入するよう勧められる。規格が変更され、あるいは新しいサービス、例えばデジタル地上放送ラジオが利用可能となる場合に、新しい又は交換用のチューナカートリッジが、新しい又は更新されたサービスを受けるよう購入され得る。代替的には、あるいは更には、幾つかの特に知られた又は共通のチューナが、チューナシステムに組み込まれても良い。故に、例えば、１つ又は２つのＮＴＳＣチューナは、スロットの全てが、より多くの、又は他の形式のチューナに対して利用可能であるように、チューナシステムに組み込まれても良い。直接放送衛星チューナに対して、スロットは、更なる信号が受信されることを可能にするよう提供されても良い。
【００１２】
図１に示されているチューナカートリッジ区画３３は、ごみ、損傷から保護するために、及び安全性のために、バネ仕掛けのスロットカバーを有する。スロットカバーは、カードが適切な方向に挿入されることを確実にするよう、Ｄ型で適合されている。図１に示されている特に物理的な構成は、本発明にとって必然ではない。カバーは、チューナカートリッジがサービス技術者又は販売人によって加えられ、取り外され、あるいは置換されやすいように、ねじ又は特別な留め具により取り付けられている。代替的には、スロットは、覆われないままであっても良く、あるいは、単一のカバーが、全てのスロットを覆うために使用されても良い。チューナカートリッジは、保護カバー及び掴み面を伴わずに提供されても良い。チューナカートリッジは、ＰＣＩ（パーソナルコンピュータインターフェース）、ＡＧＰ（アクセラレイテッドグラフィックポート）、ＰＣＭＣＩＡ（パーソナルコンピュータ・メモリカード国際協会）、又はＳＤ（セキュアデジタル）カード、などに類似する構成で提供されても良い。
【００１３】
図２を参照すると、図１のチューナカートリッジ３２は、少なくとも１つのビデオチューナ１３を有する。チューナは、放送、マルチキャスト又は双方向のいずれであろうと、多種多様なアナログ及びデジタルのテレビジョン信号のうちのいずれか１つのためのチューナである。例は、ＮＴＳＣ信号、ＡＴＳＣ（アドバンストテレビジョンシステム委員会）信号、ＰＡＬ（位相交互ライン）信号、様々な可能な規格の下でのケーブルテレビ信号、ＤＢＳ（直接放送衛星）信号、ＦＭ（周波数変調）若しくはＡＭ（振幅変調）無線信号、衛星ラジオ又は他の形式のビデオ又はオーディオ信号を含む。本実施例では、チューナは、Ｆ型同軸コネクタ４４−１、４４−２によりテレビジョン同軸ケーブル、地上放送アンテナ、又は衛星パラボラアンテナへ結合され、他の構成要素への適用のための符号化信号を生成する。好ましい出力信号の実際の性質は、特定の装置に依存しうる。
【００１４】
代替的に、チューナは、コンポジット・ビデオチューナであっても良い。このようなカートリッジは、システムが、ビデオレコーダ、カメラ、外付けのチューナ、又は他の如何なる装置からも、ビデオ及びオーディオ信号を受信することを可能にする。テレビモニタに関して、コンポジット・ビデオチューナは、モニタが、デジタルケーブル放送から、接続されたビデオカメラで再生されているホームムービーへ容易に切り替えられることを可能にする。ピクチャー・イン・ピクチャー及び多数の他の機能が、また、支持されても良い。多種多様な異なるコネクタが、同軸ケーブルから、ＲＣＡコンポーネント・ビデオ、Ｓビデオ、ＤＩＮコネクタ、ＤＶＩ（デジタルビデオインターフェース）、ＨＤＭＩ（高精細度マルチメディアインターフェース）、ＶＧＡ（ビデオグラフィックアダプタ）、などまで、このようなチューナに対して使用されても良い。これらのコネクタは、チューナカードに設けられても良く、あるいは、チューナスロット内のバスを介して提供されても良い。
【００１５】
代替的に、チューナは、同一又は異なるアンテナへ結合されたＦＭラジオチューナ又はＡＭラジオチューナである。ラジオチューナは、更に別々のアナログ−デジタル変換コーデック（図示せず。）においてデジタルＩ２Ｓ（インターＩＣサウンド、フィリップスセミコンダクタによって設計された音声バス）の音声信号へ変換されうるアナログ音声出力を発生させる。信号がＲＤＳ（無線データシステム）、ＰＴＹ（プログラムタイプ）データ、又は他の埋め込み若しくは側波帯のデータを含む場合には、このデータは、復元されて、映像として、あるいは何か他の方法で、より大きなシステムへレンダリングされる。
【００１６】
代替的に、チューナは、衛星アンテナへ結合されたＤＢＳチューナ又は如何なる他の形式の衛星チューナをも有して良い。ＤＢＳチューナは、より大きなシステムへと直接的に伝送可能なデジタルＭＰＥＧ−２出力を作る。アナログ衛星システムは、上述されたアナログ地上放送チューナと同じように適応されても良い。
【００１７】
更に、チューナカートリッジは、ＵＳＢ（ユニバーサルシリアルバス）、ファイヤーウォール、ＩＤＥ（Ｉｎｔｅｇｒａｔｅｄ  Ｄｅｖｉｃｅ  Ｅｌｅｃｔｒｏｎｉｃｓ）、イーサネット（登録商標）などを含むいずれか１つ又はそれ以上の電気通信インターフェースを用いて、デジタルホスト若しくはサーバー接続によりビデオ信号を受信するよう提供されても良い。チューナカートリッジは、通信インターフェースを用いてデータパケットを受信して、それらを従来のビデオフォーマットへと変換し、あるいは、それらを直接的にグラフィック処理装置４１のような処理装置へ供給する。同様に、無線電気通信インターフェースは、例えば、ブルートゥース、ＷｉＦｉ、ＧＰＲＳ（ＧＳＭパケット無線サービス）などのように、チューナカートリッジ内に設けられても良い。本願で述べられているチューナカートリッジのうちのいずれか１つ又はそれ以上は、チューナカートリッジ内のバスからの、若しくはカートリッジ内の特定のコネクタを介する、変調された又はパケット化されたデータを受信することができる。
【００１８】
同調アナログ信号は、アナログ出力を、例えばＩＴＵ−Ｒ  ＢＴ６５６（国際電気通信組合−デジタルビデオ向け無線通信部門規格）又は如何なる他の形式のビデオ信号のような、デジタルのテレビジョンビデオ信号へ変換するよう、デコーダ２７へ入力される。オーディオ部分は、サンプリングされて、例えばＩ２Ｓ（インターＩＣサウンド、デジタル音声を搬送するためのフィリップスセミコンダクタによって設計されたバス形式）又は如何なる他の形式のオーディオ信号のような、デジタル音声へと変換されても良い。アナログ信号をデジタルの映像及び音声へと変換することは、結果として得られる映像が、デジタルチューナからのＭＰＥＧ−２信号と同様に扱われることを可能にする。デジタル化されたアナログ信号は、エンコーダからマルチプレクサ２９へ送られる。
【００１９】
チューナからの同調デジタル信号は、デコード又はエンコードをされることなく、マルチプレクサへと直接的に送られる。これは、デジタル及びアナログ信号が、チューナ及びより大きなシステムによって同じように扱われることを可能にする。マルチプレクサは、チューナからの適切な出力及び入力を選択するようＩ２Ｃバスへ結合される。アナログ−デジタル変換は、本発明にとって必須な要素ではない。信号は、アナログ形式で処理されて切り替えられ、全ての信号は、それらの夫々の元の形式のままである。あるいは、デジタル信号は、アナログ信号へと変換されても良い。代替案として、如何なる信号変換も、より大きなシステム内で実行可能である。図１のチューナカートリッジは、例として示されているに過ぎない。
【００２０】
更に、カートリッジＩＤ１９が、夫々のスロットのコネクタへ提供されても良い。カートリッジＩＤは、夫々のカートリッジ内にエンコードされる固有ＩＤである。より簡単なアドレスを提供するために、カートリッジＩＤは、代替的に、夫々のスロットに配線接続されても良い。スロットコネクタの１つ又はそれ以上のピンが、夫々のスロットに対して不変のＩＤを生成するよう、高く又は低く短絡される。カートリッジは、関係のあるピンをポーリングすることによって、又は他の方法で、そのＩＤを確認することができる。カートリッジＩＤは、Ｉ２Ｃが個々に夫々のチューナカートリッジをアドレス指定することを可能にするために、使用される。
【００２１】
チューナスロットは、２つの形式の信号伝達のための接続を有する。図２の実施例では、ソースバス１５及びベースバンドバス１７がある。ソースバスは、アンテナから夫々のチューナカートリッジへと信号を接続する。１つの例では、２つのＦ型コネクタからの信号は、スロットのコネクタパッドへ結合された夫々のＲＦスプリッタへ結合されうる。これは、チューナが、２つの異なったアンテナ信号のいずれか一方又は両方を受信することを可能にする。例えば、一方のアンテナは、デジタル放送用であって、他方は、アナログ放送用であっても良い。一方のアンテナは、地上放送用であって、他方は衛星放送用であっても良い。一方のアンテナは、無線受信用であって、他方は有線受信用であっても良い。様々な接続が、使用されるチューナに依存して提供される。
【００２２】
ベースバンドバス１７は、より大きなシステムへ出力ビデオ信号を結合し、また、チューナカートリッジとより大きなシステムとの間でデータライン３３を介して制御部４１（図３参照。）へ伝送されるべき命令及び制御信号のみならず、電源接続をも可能にする。データラインは、また、制御部が、デコーダ及びチューナとメッセージの送受信を行うことを可能にするよう、制御ラインとして使用されても良い。一実施例では、チューナは、チューナが割り当てアドレスを用いて如何なる時でも個々に夫々のチューナをアドレス指定することを可能にするデイジーチェーンＩ２Ｃ（Ｉｎｔｅｒ−Ｉｎｔｅｇｒａｔｅｄ  Ｃｉｒｃｕｉｔ、集積回路を接続するためのフィリップスセミコンダクタによって設計されたバスの形式）制御バス３３上にある。しかし、如何なる他の通信インターフェース又はプロトコルも使用されうる。
【００２３】
制御部は、夫々のチューナに対して固有の装置指定インターフェースにより設計され、あるいは、それは、チューナの幾つか又は全てを伴うＩ／Ｏインターフェースを介して動作しても良い。代替的に、例えばＵＳＢ（ユニバーサルシリアルバス）又はＩＥＥＥ１３９４（高速シリアルＩ／Ｏ通信向けＩＥＥＥ規格）のような、他の標準化されたＩ／Ｏインターフェースが使用されても良い。それは、また、様々なプロトコルを幾つも用いる無線接続であっても良い。
【００２４】
幾つかのチューナに対して、支持されるべき付加的な機能があっても良い。例えば、幾つかのケーブル及び衛星システムは、請求書発送及び定期購読情報を処理するために、又はペイ・パー・ビューイベントを注文するために、ＰＳＴＮ（公衆交換電話網）又はインターネットへの電話接続を必要とする。幾つかのケーブルシステムは、同じ目的のために、ケーブル電波中継局への帰還（ｒｅｔｕｒｎ）信号を使用する。例えばビデオレコーダのような、幾つかの民生電子機器は、命令又はタイミング情報に対する補助的な制御接続を有する。また、ダイアルアップサービス又はインターネットから得られる電子プログラミングガイド又は放送局情報の外部発生源が設けられる。このようなサービスのいずれか1つ又はそれ以上は、制御ライン３３へ連結されるチューナモジュールカートリッジ又は周辺装置内のモデムを使用して良い。チューナカートリッジ内のモデムに対して、特定のコネクタ（図示せず。）がチューナカートリッジに設けられても良い。
【００２５】
これらの付加的な通信及びセキュリティ機能は、また、他のバスへ結合されている周辺装置が用いられるように、グラフィック制御部によってバス上で管理されても良い。例えば、視聴者が特定の映画を注文することを望む場合に、グラフィック制御部は、チューナのダイアルアップ注文サービスへのアクセスを必要とすることを応答するチューナへ、命令を発行しても良い。チューナは、チューナカートリッジの外のモデムを直接的にアドレス指定し、あるいは、それをグラフィック制御部によりアドレス指定しても良い。
【００２６】
自己認識、請求書発送及び定期購読のカードは、同じように扱われうる。幾つかのシステムは、受信した信号を復号化するために、例えばスマートカード又はアクセスカードのような、特別な取り外し可能なカードを必要とする。スマートカードスロットは、チューナカートリッジ内に設けられ、あるいは他の場所に設けられて、ベースバンドバス又は他のバス上で結合されても良い。
【００２７】
図３は、上述したチューナカートリッジの使用に適したメディアセンター４３のブロック図を示す。図３において、チューナモジュール１１は、例えば上述したＩ２Ｃインターフェースを用いて、グラフィック制御部４１へ結合されている。グラフィック制御部４１は、様々な異なる処理装置又はＡＳＩＣのいずれかを用いて実施されても良い。幾つかの例は、ＳＴマイクロエレクトロニクスのＳｔｉ７０  １５／２０、ゾラン（Ｚｏｒａｎ）のＴＬ８ｘｘ又はジェネレーション（ｇｅｎｅｒａｔｉｏｎ）９、及びＡＴｉテクノロジーのＸｉｌｌｅｏｎラインの処理装置を含む。グラフィック制御部は、より大きなシステム用の、あるいは、図３に示されているように別のＣＰＵへ結合された、中央処理装置であっても良い。
【００２８】
チューナモジュール１１は、図１及び２を参照して説明されたチューナカートリッジ、チューナスロット、ソースバス及びベースバンドバスを含むと考えられても良い。図２を参照して説明されたベースバンドバスからの複数のビデオ及びオーディオ出力は、マルチプレクサ５１へ結合される。他の発生源が、また、望まれるならば、マルチプレクサへ結合されても良い。例えば、ＩＥＥＥ１３９４は、やはりマルチプレクサへ結合されているように示されている。幾つかのこのような装置として、数ある中でも、テーププレーヤ、ディスクプレーヤ及びＭＰ３プレーヤが挙げられうる。マルチプレクサは、グラフィック制御部の制御下で、チューナ又は他の入力部のどれがメディアセンターの他部へ接続されうるかを選択する。
【００２９】
選択されたチューナ入力部は、マルチプレクサ出力部へ結合されている。このマルチプレクサ出力部は、夫々、本実施例では、夫々のＭＰＥＧ−２エンコーダ５３−１、５３−２へ結合され、次に、グラフィック制御部４１へ結合されている。デジタルテレビ受信機、ラジオ、デジタルケーブル又は衛星信号の場合に、マルチプレクサは、信号を、これらの信号が既にエンコードされているので、ＭＰＥＧ−２エンコーダを避けて送り、あるいは、エンコード処理を無効とする。
【００３０】
グラフィック制御部から、ビデオ及びオーディオ信号は、表示、記憶、又は記録のために出力される。一実施例において、グラフィック制御部は、好ましい装置による使用のためにビデオ及びオーディオ信号をフォーマットして、命令、制御、メニュー、メッセージング及び他の画像をチューナからの映像及び音声に結合するように、ビデオ信号処理装置のみならず、ＭＰＥＧ−２及びＭＰＥＧ−３デコーダを有する。グラフィック制御部は、以下で述べるように、装置全体を駆動し、あるいは、他のより高度な処理装置の制御下でグラフィック機能に対してのみ動作しても良い。
【００３１】
簡単のために、図３は、１つのビデオ出力及び１つのオーディオ出力しか示さないが、出力の数及び種類は、特定の用途に従って極めて変化しうる。メディアセンターがチューナとして機能すべきである場合には、単一のＤＶＩ、又はコンポーネント・ビデオ出力で、例えば光学Ｓ／ＰＤＩＦ（ソニー／フィリップス・デジタルインターフェース）のような単一のデジタルオーディオ出力と共に、十分である。示された構成では、メディアセンターは、モニタ上のピクチャー・イン・ピクチャーを有するチューナとして使用され、あるいは、それは、他のチャネルを表示する間に１つのチャネルを記録するために使用されても良い。メディアセンターがより多くの機能を提供すべき場合に、更なるオーディオ及びビデオ接続は、１つ又はそれ以上の異なった形式が望ましい。
【００３２】
ビデオ及びオーディオ接続のための実際のコネクタ及びフォーマットは、異なった数で、多種多様な形式から成る。幾つかのコネクタのフォーマットとしては、同軸ケーブル、ＲＣＡコンポジットビデオ、Ｓビデオ、コンポーネント・ビデオ、ＤＩＮ（ドイツ工業規格）コネクタ、ＤＶＩ（デジタルビデオインターフェース）、ＨＤＩＭ（高精細度マルチメディアインターフェース）、ＶＧＡ（ビデオグラフィックアダプタ）、並びにＵＳＢ及びＩＥＥＥ１３９４が挙げられる。また、特定の用途に対して好ましい幾つかの異なった専用のコネクタがある。コネクタの種類は、特定の用途に適するように、あるいは、異なるコネクタが採用される場合に、変更されても良い。
【００３３】
メディアセンターは、また、例えばハードディスクドライブ、揮発性メモリ、テープドライブ（例えば、ＶＴＲ。）又は光学ドライブのような、大容量記憶装置を有しても良い。これは、グラフィック制御部に対する指示を記憶するために、ＥＰＧ（電子プログラムガイド）を保持するために、又はチューナモジュールから受信された音声及び映像を記録するために、使用されても良い。
【００３４】
更に、上述した構成要素により、例えば、数ある中でも、チューナ（地上、ケーブル、及び衛星セットトップボックス）、ＶＴＲ、ＰＶＰ、及びテレビ受信機のような、多数の民生電子機器、ホームエンターテイメント及びホームシアター装置が満足させられる。更なる機能が、以下で記述される更なる構成要素の幾つかを用いて提供されても良い。更に、前置増幅器及び電力増幅器、制御パネル、又はディスプレイ（図示せず。）が、要望通りに、グラフィック制御部へ結合されうる。
【００３５】
メディアセンターは、また、ホスト制御部６３又はチップセットへ結合されたＣＰＵ（中央演算処理装置）６１を有しても良い。幾つかの異なるＣＰＵ及びチップセットが使用されても良い。一実施例において、インテル（登録商標）８３０チップセットを有するモバイルインテル（登録商標）セルロンプロセッサが使用されるが、本発明はこれに限定されない。それは、十分すぎるほどの電力、接続可能性及び省電力モードを提供する。ホストプロセッサは、例えばインテル（登録商標）ＦＷ８２８０１ＤＢ（ＩＣＨ４）のような、Ｉ／Ｏコントローラハブ（ＩＣＨ）６５へ結合されたノースブリッジと、例えばＲＡＭ（ランダムアクセスメモリ）のような、オンボードメモリ６７へ結合されたサウスブリッジとを有する。チップセットは、また、グラフィック制御部４１と結び付けるインターフェースを有する。留意すべきは、本発明は、本願で提案されている処理装置の特定の選択に限定されないことである。
【００３６】
ＩＣＨ６５は、広範囲の異なる装置への接続可能性を提供する。安定した使用及びプロトコルが、これらの接続に対して用いられうる。接続は、ＬＡＮ（ローカルエリアネットワーク）６９、ＵＳＢハブ７１、ローカルＢＩＯＳ（基本入出力システム）フラッシュメモリ７３を含んでも良い。ＳＩＯ（スーパーＩ／Ｏ）ポート７５は、ボタン及びディスプレイを有するフロントパネル７７と、キーボード７９と、マウス８１と、赤外線ブラスタ又はリモートコントロールセンサのような赤外線装置８５とに対する接続可能性を提供しうる。Ｉ／Ｏポートは、また、フロッピー（登録商標）ディスク、パラレルポート、及びシリアルポート接続を支持しうる。代替的に、このような装置のうちのいずれか１つ又はそれ以上は、ＵＳＢ、ＰＣＩ又は他の形式のバスから支持され得る。
【００３７】
ＩＣＨは、また、ディスクドライブ８７、８９又は他の大容量メモリ装置への接続用のＩＤＥ（Ｉｎｔｅｇｒａｔｅｄ  Ｄｅｖｉｃｅ  Ｅｌｅｃｔｒｏｎｉｃｓ）バスを提供しても良い。大容量記憶装置として、ハードディスクドライブ及び光学ドライブが挙げられる。故に、例えば、ソフトウェアプログラム、ユーザデータ、ＥＰＧデータ及び記録されたエンターテイメントプログラミングは、ハードディスクドライブ又は他のドライブに記憶され得る。更に、ＣＤ（コンパクトディスク）、ＤＶＤ（デジタル・バーサトル・ディスク）及び他の記憶媒体は、ＩＤＥバスへ結合されたドライブ上で再生されても良い。
【００３８】
ＰＣＩ（ペリフェラル・コンポーネント・インターコネクト）バス９１は、ＩＣＨへと結合されており、広範囲の装置及びポートがＩＣＨへ結合されることを可能にする。図３の例としては、ＷＡＮ（広域ネットワーク）ポート９３と、無線ポート９５と、データカードコネクタ９７と、ビデオアダプタカード９９とが挙げられる。ＰＣＩポートへの接続に使用可能な更に多数の装置と、更に多数の機能とが、存在する。ＰＣＩ装置は、カメラ、メモリカード、電話、ＰＤＡ（パーソナルデジタルアシスタント）、又は近くのコンピュータのような、その場にある機器への接続を可能にする。それらは、また、プリンタ、スキャナ、レコーダ、ディスプレイなどの様々な周辺機器への接続を可能にする。それらは、また、より多くの遠くにある機器又は多種多様なインターフェースの幾つかへの有線若しくは無線接続を可能にする。遠く離れた機器は、プログラミング若しくはＥＰＧデータの伝達、メンテナンス若しくは遠隔制御、又はゲーム、ネットサーフィン若しくは他の機能を可能にする。
【００３９】
最後にＩＣＨは、オーディオ及びモデム用の独立した機能を有するコーデックを支持するデジタルリンクである、ＡＣリンク（オーディオ・コーデック・リンク）と共に示されている。オーディオ部分では、マイクロホン入力及び左右のオーディチャネルが支持される。図３の例では、ＡＣリンクは、グラフィック制御部４１へのオーディオリンクと共に、ＰＳＴＮへの接続用のモデム１０３を支持する。ＡＣリンクは、オーディオ出力５７との一体化のために、グラフィック制御部へ、ＣＰＵ、ホスト制御部又はＩＣＨにより発生した如何なる音声をも伝送する。代替的に、ＩＳＡ（業界標準アーキテクチャ）バス、ＰＣＩバス又は如何なる他の形式の接続も、この目的のために使用されうる。図３から明らかなように、チューナによって作られる信号を支持し、チューナの動作を制御する方法は、多種多様である。図３のアーキテクチャは、広範囲の異なる機能及び性能を可能にする。特定の設計は、特定の用途に依存しうる。
【００４０】
図４は、図３のメディアセンターと共に使用されるのに適したエンターテイメントシステム１１１のブロック図を示す。図４は、広範囲の固定的装置を有するエンターテイメントシステムを示す。この装置は、多数の可能性のうちの一例として示されている。本発明は、より一層単純なシステム又はより一層複雑なシステムにおいて使用されても良い。図３で示されたメディアセンターは、ＷＡＮ及びＬＡＮ接続、ブルートゥース、ＩＥＥＥ８０２．１１ＵＳＢ、１３９４、ＩＤＥ、ＰＣＩ、並びに赤外線による通信を支持することができる。更に、チューナモジュールは、アンテナ、コンポーネント、及びコンポジットビデオ及びオーディオ並びにＩＥＥＥ１３９４対応の装置からの入力を受信する。これは、接続されて、メディアセンターと共に動作する装置の種類の極度の柔軟性及び多様性を提供する。他のインターフェースは、付け加えられ、あるいは、新しいインターフェースが開発される場合に、メディアセンターの特定の用途に従って、置き換えられる。接続の多数が、費用を低減するよう取り外されても良い。図４に示した特定の装置は、民生用ホームエンターテイメントシステムに適した構成の一例を表す。
【００４１】
メディアセンター４３は、上述した幾つかの異なった可能な入力を有する。図４の例では、これらは、テレビ受信機ケーブル１１７と、放送アンテナ１１９と、衛星受信機１２１と、例えばテープ若しくはディスクプレーヤのような、ビデオプレーヤ１２３と、例えばテープ、ディスク若しくはメモリプレーヤのような、オーディオプレーヤ１２５と、例えばＩＥＥＥ１３９４接続により接続されたデジタル装置１２７とを有する。
【００４２】
これらの入力は、処理、選択及び制御の後に、ユーザに対する出力を発生させるために使用される。出力は、モニタ１２９、又はプロジェクタ１３１、又は如何なる他の種類の認知可能なビデオ表示部においてレンダリングされても良い。オーディオ部分は、例えばＡ／Ｖ受信機又は音響処理エンジンのような増幅器１３３を介して、ヘッドホン１３５、スピーカ１３７、又は如何なる他の形式の音響発生装置へと送られても良い。出力は、また、例えばＶＴＲ、ＰＶＲ、ＣＤ又はＤＶＤレコーダ、メモリカードなどのような、外付けのレコーダ１３９へ送られても良い。
【００４３】
メディアセンターは、また、例えば電話ポート１４１及びネットワークポート１４３を介して、外付けの装置への接続可能性を提供する。ユーザインターフェースは、例えば、キーボード１４５、又はリモートコントロール１４７により提供され、メディアセンターは、それ自体の赤外線ポート１４９により他の装置と通信することができる。取り外し可能な記憶装置１５３は、ＭＰ３圧縮音声が、持ち運び可能な装置に記憶されて、後に再生されることを可能にし、あるいは、カメラ画像がモニタ１２９上に表示されることを可能にする。
【００４４】
図３のメディアセンターを用いるエンターテイメントセンタのための多種多様な機器構成と、接続すべき機器の多種多様な可能な選択とが存在する。標準的な現在利用可能な機器を用いる標準的なホームエンターテイメントシステムは、以下の通りである。入力として、この標準的なホームエンターテイメントシステムは、メディアセンターのチューナモジュールへ入力される、テレビ受信機アンテナ１１９と、ケーブルテレビ受信機１１７又はＤＢＳ１２１のいずれか一方とを有しうる。ＶＴＲ又はＤＶＤレコーダは、入力装置１２３及び出力装置１３９として接続されうる。ＣＤプレーヤ１２５及びＭＰ３プレーヤ１２７は、音楽のために加えられうる。このようなシステムは、また、ワイドスクリーン高精細度テレビ受信機１２９と、６又は８個のスピーカへ結合されたサラウンドサウンド受信機１３３とを有しても良い。この同じユーザシステムは、ユーザ用の小型リモートコントロール１４７を有し、メディアセンターからテレビ受信機、受信機、ＶＴＲ及びＣＤプレーヤへと遠隔制御１４９を提供する。インターネット接続１４１及びキーボード１４５は、ウェブサーフィン及び情報のダウンロードを可能にし、一方、コンピュータネットワークは、家庭内のパーソナルコンピュータから及びパーソナルコンピュータへのファイル交換及び遠隔制御を可能にする。
【００４５】
理解されるべきは、上述した例よりも小さな又は大きな装備されたチューナカートリッジ、チューナモジュール、エンターテイメントシステム及びメディアセンターは、ある実施に対しては好ましい。従って、エンターテイメントシステム、メディアセンター、及びその他要素の構成は、実施毎に、例えば、価格の制約、性能要求、技術の進歩、又は他の状況のような幾多の要素に依存して変化しうる。本発明の実施例は、また、図１、２、３及び４で示された例とは異なったハードウェア・アーキテクチャを使用するソフトウェア駆動システムの他の形式へ適用されても良い。
【００４６】
上記において、説明の目的のために、多数の特定の詳細な記述が、本発明の完全な理解をもたらすために挙げられている。しかし、本発明がこれらの特定の詳細な記述のうちの幾つかを用いずに実行されても良いことは、当業者には明らかであろう。他の例では、周知の構成及び装置がブロック図形式で示されている。
【００４７】
本発明は、様々なステップを有しても良い。本発明のステップは、図１、２、３及び４に示されているようなハードウェア構成要素によって実行されても良く、あるいは、汎用の若しくは特殊用途の処理装置又は指令によりプログラムされた論理回路に、ステップを実行させるために使用されても良い。代替的に、ステップは、ハードウェア及びソフトウェアの組み合わせにより実行されても良い。
【００４８】
方法及び装置の多くは、それらの最も基本的な形で記述されているが、ステップは、方法のいずれかへ加えられ、あるいは、いずれかから削除されても良く、構成要素は、本発明の基本的な主旨を損なわない範囲で、記述された機器のいずれかへ加えられ、あるいは取り去られても良い。多数の更なる変更及び適応が為されても良いことは、当業者には明らかであろう。本発明の主旨は、上記実施例によって定められるべきではなく、特許請求の範囲によってのみ定められる。
【図面の簡単な説明】
【００４９】
【図１】本発明の実施例によるチューナスロット及びチューナカートリッジを有するチューナシステムの図である。
【図２】本発明の実施例によるチューナカートリッジ及びチューナシステムコネクタのブロック図である。
【図３】本発明の実施例の実施に適したメディアセンターのブロック図である。
【図４】本発明を伴う使用に適したエンターテイメントシステムのブロック図である。
【図１】
2007511960.tif 000003
【図２】
2007511960.tif 000004
【図３】
2007511960.tif 000005
【図４】
2007511960.tif 000006
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
ビデオ信号を復調するチューナと、
変調信号を受信して、該変調信号を前記チューナへ供給する第１のバスコネクタと、
前記チューナから受信したベースバンド信号を送信する第２のバスコネクタと、
を有することを特徴とするチューナカートリッジ。
【請求項２】
前記第１のバスコネクタは、チューナシステムの第１のバスへ結合し、
該第１のバスは、無線周波数バスである、
ことを特徴とする請求項１記載のカートリッジ。
【請求項３】
前記第２のバスコネクタは、チューナシステムの第２のバスへ結合し、
該第２のバスは、ベースバンドバスである、
ことを特徴とする請求項１記載のカートリッジ。
【請求項４】
前記第２のバスコネクタは、更に、電力、命令及び制御信号を伝送する、ことを特徴とする請求項１記載のカートリッジ。
【請求項５】
前記第１のバスコネクタ及び前記第２のバスコネクタは、チューナシステムの第１及び第２のバスへ接続するようプリント回路基板上で導電線の形を成す電気コネクタを含む前記プリント回路基板内に形成される、ことを特徴とする請求項２記載のカートリッジ。
【請求項６】
前記第１のバスコネクタ及び前記第２のバスコネクタを支えるよう、当該カートリッジの端に指状突起を更に有する、ことを特徴とする請求項１記載のカートリッジ。
【請求項７】
前記チューナによって復調された信号をデコードするよう、前記チューナと前記第２のバスコネクタとの間に結合されたエンコーダを更に有する、ことを特徴とする請求項１記載のカートリッジ。
【請求項８】
前記チューナを囲み、前記第１のバスコネクタ及び前記第２のバスコネクタを支える筐体を更に有する、ことを特徴とする請求項１記載のカートリッジ。
【請求項９】
無線周波数変調ビデオ信号を復調するチューナと、
該チューナを囲む筐体と、
チューナシステム内のスロットに嵌め込むよう前記筐体の端から突き出したコネクタカードエッジと、
該カードエッジが前記スロットに嵌め込まれる場合に、前記チューナシステム内のバスへ接続する前記コネクタカードエッジ上の指状突起と、
を有することを特徴とするチューナカートリッジ。
【請求項１０】
当該カートリッジがチューナシステム内へ挿入され、且つ、該チューナシステムから取り外されることを可能にするつかみ面を更に有する、ことを特徴とする請求項９記載のカートリッジ。
【請求項１１】
前記指状突起は、電力、命令及び制御信号をベースバンドバスにより伝送する複数の電気コネクタを有する、ことを特徴とする請求項９記載のカートリッジ。
【請求項１２】
前記指状突起は、前記チューナシステムにおいてソースバスから変調されたビデオ信号を受信する複数のコネクタを有する、ことを特徴とする請求項９記載のカートリッジ。
【請求項１３】
前記指状突起は、前記チューナシステムにおいてベースバンドバスへ復調されたビデオ信号を送信する複数のコネクタを有する、ことを特徴とする請求項９記載のカートリッジ。
【請求項１４】
前記コネクタカードエッジは、プリント回路基板を有し、
前記指状突起は、前記基板上で導電線を有する、
ことを特徴とする請求項１０記載のカートリッジ。
【請求項１５】
チューナカートリッジを受け入れるスロットと、
該スロット内のチューナカートリッジへ接続するベースバンドバスと、
前記スロット内のチューナカートリッジへ接続して、前記スロット内のチューナカートリッジへ変調されたビデオ信号を供給するソースバスと、
を有することを特徴とするチューナシステム。
【請求項１６】
前記ベースバンドバスは、前記スロット内のチューナカートリッジから復調されたビデオ信号を受信する、ことを特徴とする請求項１５記載のシステム。
【請求項１７】
前記ベースバンドバスは、電力、命令及び制御信号を前記スロット内のチューナカートリッジへ伝送する、ことを特徴とする請求項１５記載のシステム。
【請求項１８】
前記スロットは、前記ベースバンドバスへの接続を設けるよう、チューナカートリッジの対応する電気コネクタと結合する電気コネクタを有する、ことを特徴とする請求項１５記載のシステム。
【請求項１９】
変調されたビデオ信号の発生源及び前記ソースバスへ接続するソースコネクタを更に有する、ことを特徴とする請求項１５記載のシステム。
【請求項２０】
複数のスロットを更に有し、
前記ソースバスは、複数のスロット内のチューナカートリッジを前記ソースコネクタへ結合するスプリッタを有する、
ことを特徴とする請求項１９記載のシステム。
【請求項２１】
前記ソースコネクタは、アンテナからビデオ信号を受信する同軸ケーブルコネクタを有する、ことを特徴とする請求項１９記載のシステム。
【請求項２２】
前記ベースバンドバスからビデオ装置へビデオ信号を供給するビデオ出力コネクタを更に有する、ことを特徴とする請求項１５記載のシステム。
【請求項２３】
前記ビデオ装置に対するビデオ信号を発生させるよう、前記ベースバンドバスと前記ビデオ出力コネクタとの間に結合されたビデオ処理装置を更に有する、ことを特徴とする請求項２２記載のシステム。
【請求項２４】
チューナカートリッジを受け入れるスロットと、
該スロット内のチューナカートリッジへ接続するベースバンドバスと、
該ベースバンドバスへ結合され、ビデオ装置に対してビデオ出力コネクタにおいてビデオ信号を発生させるビデオ処理装置と、
前記スロット内のチューナカートリッジへ接続して、前記スロット内のチューナカートリッジへ変調されたビデオ信号を供給するソースバスと、
を有することを特徴とする民生用エンターテイメントシステム。
【請求項２５】
前記ベースバンドバスは、前記スロット内のチューナカートリッジから復調されたビデオ信号を受信する、ことを特徴とする請求項２４記載のシステム。
【請求項２６】
前記ベースバンドバスは、電力、命令及び制御信号を前記スロット内のチューナカートリッジへ伝送する、ことを特徴とする請求項２４記載のシステム。
【請求項２７】
複数のスロットと、変調されたビデオ信号の発生源及び前記ソースバスへ接続するソースコネクタとを更に有し、
前記ソースバスは、複数のスロット内のチューナカートリッジを前記ソースコネクタへ結合するスプリッタを有する、ことを特徴とする請求項２４記載のシステム。
【国際調査報告】
2007511960.tif 000007
2007511960.tif 000008
2007511960.tif 000009